(57)【要約】【課題】ユーザーが開いたり、閉じたりすることが容易で、かつ容器に収容された内容物を排出させるのに容易な構造を有する容器キャップを提供する。【解決手段】容器１と結合され、容器１の内部と通じる開口部４５を持つ下部キャップ２００と、下部キャップ２００と結合されて開口部４５をカバーする上部キャップ１００を含み、上部キャップ１００は、開口部４５をカバーするカバー部１０と、カバー部１０の縁に沿って具備され、カバー部１０と部分的に連結される縁部４０と、縁部４０とカバー部１０とを連結する連結部４５と、縁部４０と連結され、平面上でカバー部１０の中心から離れる方向にラウンド形状を持つハンドル部と、を含む。【選択図】図５
0003188964.tif 000002
【実用新案登録請求の範囲】
【請求項１】
容器と結合され、前記容器の内部と通じる開口部を持つ下部キャップと、
前記下部キャップと結合され、前記開口部をカバーする上部キャップを含み、
前記上部キャップは、
前記開口部をカバーするカバー部と、
前記カバー部の縁に沿って具備され、前記カバー部と部分的に連結される縁部と、
前記縁部と前記カバー部とを連結する連結部と、
前記縁部と連結され、平面上で前記カバー部の中心から離れる方向にラウンド形状を有するハンドル部と、
を含むことを特徴とする容器キャップ。
【請求項２】
前記ハンドル部は、
平面上で前記カバー部の中心から離れる方向に屈曲された少なくとも一つの凸部を含み、
前記凸部と前記カバー部との間の離隔距離は、前記縁部と前記カバー部との間の離隔距離よりも大きいことを特徴とする請求項１に記載の容器キャップ。
【請求項３】
前記縁部と前記ハンドル部は一体型で形成されることを特徴とする請求項２に記載の容器キャップ。
【請求項４】
前記ハンドル部は複数に提供され、前記複数のハンドル部のうち互いに対向する２つのハンドル部のそれぞれには、前記凸部が複数に提供されることを特徴とする請求項２に記載の容器キャップ。
【請求項５】
前記連結部は複数で提供され、前記複数の連結部は、前記複数のハンドル部と離隔されて互いに対向することを特徴とする請求項１に記載の容器キャップ。
【請求項６】
前記上部キャップは、
前記カバー部の下部から延長され、前記下部キャップと結合される第１結合部をさらに含み、
前記下部キャップは、
前記開口部が形成された切取部と、
前記切取部を取り囲んで前記第１結合部と結合される第２結合部と、
前記容器の吐出部と結合され、前記第２結合部と離隔されて前記第１結合部が挿入されるスペースを提供するパッキン部と、
を含むことを特徴とする請求項１に記載の容器キャップ。
【請求項７】
前記上部キャップは、
前記第１結合部の内側面に備えられる第１ネジ山をさらに含み、
前記下部キャップは、
前記第２結合部の外側面に具備され、前記第１ネジ山と結合される第２ネジ山をさらに含むことを特徴とする請求項６に記載の容器キャップ。
【請求項８】
前記容器の吐出部を挟んで前記パッキン部と対向する補助パッキン部をさらに含み、
前記容器の吐出部は、
前記パッキン部と前記補助パッキン部との間に挿入されることを特徴とする請求項６に記載の容器キャップ。
【請求項９】
前記補助パッキン部は、
部分的に除去されて定義されているホールを持つことを特徴とする請求項８に記載の容器キャップ。
【請求項１０】
前記開口部をカバーするカバー部をさらに含むことを特徴とする請求項１に記載の容器キャップ
【請求項１１】
前記開口部が開口された幅は、一側に近づくほど小さくなることを特徴とする請求項１０に記載の容器キャップ。
【請求項１２】
前記連結部を軸として前記縁部と前記ハンドル部は、前記カバー部と傾斜方向にベンディングされたことを特徴とする請求項１に記載の容器キャップ。
【考案の詳細な説明】
【技術分野】
【０００１】
本考案は、容器キャップに関し、より詳細には、ユーザーが容器キャップの開閉が容易で、容器に収容された内容物を排出させるのに容易な構造を有する容器キャップに関する。
【背景技術】
【０００２】
容器キャップは、容器の吐出口と結合され、前記容器キャップが閉じられた場合に、前記容器内に収容された材料を密封することができ、前記容器キャップが開いている場合に、ユーザーは前記容器キャップに形成された開口部を介して前記材料を前記容器外部に提供することができる。
【０００３】
一方、比較的大きな体積を有する容器には、二重構造の容器キャップが適用されることがあり、この場合容器キャップは容器の吐出口と結合され、その内部に容器の材料が通じる開口部を有する下部キャップおよび前記下部キャップと結合され、前記開口部をカバーする上部キャップを含むことができる。また、上述した容器キャップの構造によると、ユーザーは容器内の材料を取り出すために下部キャップおよび上部キャップを頻繁に結合させたり、取り外したりしなければならないため、作業者が容易に取り扱うことができる容器キャップが要求される。
【考案の概要】
【考案が解決しようとする課題】
【０００４】
したがって、本考案の目的は、ユーザーが開いたり、閉じたりすることが容易で、かつ容器に収容された内容物を排出させるのに容易な構造を有する容器キャップを提供することにある。
【課題を解決するための手段】
【０００５】
上述した本考案の目的を達成するための本考案の一実施例によれば、容器キャップは下部キャップおよび上部キャップ含む。前記下部キャップは容器と結合され、前記容器の内部と通じる開口部を有し、前記上部キャップは前記下部キャップと結合され、前記開口部をカバーする。
【０００６】
また、前記上部キャップはカバー部、縁部、連結部およびハンドル部を含む。
【０００７】
また、前記カバー部は、前記開口部をカバーし、前記縁部は、前記カバー部の端に沿って具備され、前記カバー部と部分的に連結される。
【０００８】
前記連結部は、前記縁部と前記カバー部とを連結され、そして前記ハンドル部は前記縁部と連結され、平面上で前記カバー部の中心から離れる方向にラウンド形状を有する。
【０００９】
また、前記下部キャップは、前記開口部が形成された切取部、前記切取部を取り囲んで前記上部キャップの第１結合部と結合される第２結合部と、前記容器の吐出部と結合されて前記第１結合部が挿入されるスペースを提供するパッキン部と、前記容器の吐出部を挟んで前記パッキン部と向き合う補助パッキン部と、を含む。
【００１０】
また、本考案の他の実施例によれば、補助パッキン部は部分的に除去されて定義される複数のホールを持つことができる。
【考案の効果】
【００１１】
以上のように本考案の容器キャップによると、上部キャップにハンドル部が具備されてユーザーが上部キャップを下部キャップに結合させるか、または上部キャップを下部キャップから分離する作業を容易に行うことができる。また、下部キャップの開口部の開口された幅は、一側に近づくほど小さくなるように設計され、容器内の材料を外部に排出する際に、容器内に残存する材料の量を最小化することができる。
【００１２】
また、下部キャップの補助パッキン部に複数のホールを形成し、容器をひっくり返して容器内に収容された内容物を排出する際に、前記複数のホールによって前記下部キャップの周りで前記内容物の流動が円滑になることにより、前記容器から前記内容物が排出されることを容易にすることができる。
【図面の簡単な説明】
【００１３】
【図１】本考案の一実施例による容器キャップが容器に結合された状態を示した斜視図である。
【図２】図１に示された容器キャップの上部キャップの平面図である。
【図３】図１に示された容器キャップの上部キャップの底面図である。
【図４Ａ】図１に示した容器キャップの下部キャップの平面図である。
【図４Ｂ】図１に示した容器キャップの下部キャップの斜視図である。
【図５】図１に示しI'-I'に沿って切り取られた部分を示した断面図である。
【図６】本考案の他の実施例による容器キャップの下部キャップの斜視図である。
【考案を実施するための形態】
【００１４】
以下、添付した図面を参照して本考案の実施例を詳細に説明する。前述した本考案の目的、特徴及び効果は、添付された図面に関する実施例を通じて容易に理解されるだろう。ただし、本考案は、ここで説明する実施例に限定されず、様々な形で応用されて変形することもできる。以下の実施例は、本考案によって開示された技術思想をより明確にし、さらに平均的な知識を有する者に本考案の技術思想が十分に伝達されるように提供されるのである。したがって、本考案の登録請求の範囲は、下記説明する実施例によって限定されると解釈されてはならない。一方、下記実施例で提示された図面は、明確な説明のために多少簡略化されたり誇張されたりすることがあり、図面上に同じ参照番号は同じ構成要素を示す。
【００１５】
図１は、本考案の一実施例による容器キャップが容器に結合された状態を示した斜視図である。図１を参照すると、容器キャップ３００は、容器１の吐出口５と結合される。本考案の実施例では、前記容器キャップ３００は、食用油のような液状の材料を収容し、約１８リットルの大容量容器のキャップとして使用することができる。
【００１６】
前記容器キャップ３００は、上部キャップ１００および前記上部キャップと結合される下部キャップ２００を含む。前記下部キャップ２００は、前記吐出口５をカバーするために前記容器１と結合され、その内部に開口部（図４Ａの２４５）が形成され、前記容器１内に収容された材料は、前記吐出口５および前記開口部を順次に通って前記容器１の外部に提供することができる。
【００１７】
前記上部キャップ１００は、前記下部キャップ２００と結合され、前記下部キャップ２００の開口部をカバーする。本考案の実施例では、前記上部キャップ１００および下部キャップ２００に形成されたネジ山々によって前記上部キャップ１００および前記下部キャップ２００は相互結合することができる。
【００１８】
一方、前記下部キャップ２００から前記上部キャップ１００を取り外したとき、前記上部キャップ１００の取り扱いを容易にするために、前記上部キャップ１００には、第１ハンドル部２０および第２ハンドル部３０が備えられる。
前記上部キャップ１００のより詳細な構造は、図２及び図３を参照して説明し、前記下部キャップ２００のより詳細な構造は、図４Ａ、図４Ｂ及び図５を参照して説明する。
【００１９】
図２は、図１に示された容器キャップの上部キャップの平面図であり、図３は、図１に示された容器キャップの上部キャップの底面図である。図２及び図３を参照すると、上部キャップ１００は、カバー部１０、縁部４０、連結部４５、第１結合部５０、第１ネジ山５５、第１ハンドル部２０、および第２ハンドル部３０を含む。
【００２０】
前記カバー部１０は、下部キャップ（図１の２００）の開口部をカバーし、大まかに前記カバー部１０の大きさは、容器の吐出口（図１の５）の大きさと対応することができる。
【００２１】
前記縁部４０は、前記カバー部１０の縁に沿って具備され、前記縁部４０は、前記連結部４５により前記カバー部１０と部分的に連結される。また、前記第１結合部５０は、図５に示したように、前記カバー部１０の下部から延長され、前記第１結合部５０の内側壁には、第１ネジ山５５が形成される。したがって、前記上部キャップ１００は、前記第１ネジ山５５によって下部キャップ（図１の２００）と結合することができる。
【００２２】
前記第１ハンドル部２０と前記第２ハンドル部３０は、前記縁部４０と連結されて対向する。本考案の実施例では、前記第１ハンドル部２０及び前記第２ハンドル部３０は、前記縁部４０と一体型で形成することができ、前記第１及び第２ハンドル２０、３０それぞれは、平面上で前記カバー部１０の中心から遠ざかる第１方向Ｄ１にラウンドされた形状を持つ２つの凸部を含む。
【００２３】
より詳細には、前記第１ハンドル部２０は、第１凸部２１及び前記第１凸部２１と隣接する第２凸部２２を含み、前記第２ハンドル部３０
は、第３凸部３１及び前記第３凸部３１と隣接する第４凸部３２を含む。
【００２４】
上述した第１ないし第２ハンドル部２０、３０の構造によれば、前記第１ないし第４凸部２１、２２、３０、３１のそれぞれと、前記カバー部１０との間の第１離隔距離
Ｌ１は、前記縁部４０と前記カバー部１０との間の第２離隔距離Ｌ２よりも大きい。
【００２５】
一方、前記縁部４０、前記第１ハンドル部２０、および前記第２ハンドル部３０は、前記連結部４５により前記カバー部１０と部分的に連結される。したがって、図５に示したように、前記連結部４５を軸として前記カバー部１０と傾斜するように第２方向Ｄ２にベンディングされることができ、これにより、上部キャップ１００を下部キャップ（図１の２００）から分離する際、ユーザーは、前記ベンディングされた第１及び第２ハンドル部２０、３０をグリップして前記上部キャップ１００を容易に取り扱うことができる。
【００２６】
また、ユーザーが前記第１及び第２ハンドル部２０、３０をグリップするとき、ユーザーは、前記第１ないし第４凸部３１、３２、４１、４２のそれぞれのラウンド形状を持つ部分に指を容易に支持することができるので、ユーザーは、前記上部キャップ１００をより容易に取り扱うことができる。
【００２７】
一方、上述したように、前記連結部４５を軸として前記縁部４０と、前記第１及び第２ハンドル部２０、３０が前記第２方向Ｄ２にベンディングされるときに、ユーザーが前記第１及び第２ハンドル部２０、３０を容易に把持するために前記第１及び第２ハンドル部２０、３０は互いに対向し、前記連結部４５のうちいずれか一つは、前記第１及び第２ハンドル部２０、３０との間の中央部で、前記連結部４５のうち別の一つと対向するように位置することが好ましい。
【００２８】
図４Ａは、図１に示した容器キャップの下部キャップの平面図であり、図４Ｂは、図１に示した容器キャップの下部キャップの斜視図であり、図５は、図１に示したI'-I'に沿って切取られた部分を示した断面図である。図４Ａ、図４Ｂ及び図５を参照すると、下部キャップ２００は、切取部２４０、第２結合部２３０、第２ネジ山２１０、カバー部２４８、下部連結部２３５
、補助パッキン部２５５及びパッキン部２５０を含む。
【００２９】
前記切取部２４０には、容器１に収容された材料が吐出される開口部２４５が形成される。前記第２結合部２３０は、前記切取部２４０を取り囲み、前記第２結合部２３０の外側面には前記第２ネジ山２１０が備えられる。
【００３０】
また、前記パッキン部２５０は前記容器１の吐出部と結合され、前記パッキン部２５０は前記第２結合部２３０と離隔されて第１結合部５０が挿入されることができる挿入ホール２２０を提供する。したがって、前記下部キャップ２００が、前記容器１の吐出部５に結合された状態で、ユーザーは前記第１結合部５０が前記パッキン部２５０と前記第２結合部２３０との間に位置するように上部キャップ１００を前記挿入ホール２２０に挿入し、前記上部キャップ１００を回転させて前記第１及び第２ネジ山５１、２１０間の締結力を利用して前記上部キャップ１００を前記下部キャップ２００に結合させることができる。
【００３１】
一方、前記下部キャップ２００を使用する前には、前記切取部２４０及び前記カバー部２４８は一体型で形成することができ、前記切取部２４０から前記カバー部２４８を取り外して前記切取部２４０に前記開口部２４５を形成することができる。
【００３２】
本考案の実施例では、前記開口部２４５の一側の幅は、前記一側面と対向する他側の幅よりも小さく、前記開口部２４５の他側はラウンド形状を持つことができる。これにより、前記容器１を傾けたときに、前記容器１内の材料は前記開口部２４５の一側に収束されて排出されることができるため、前記の材料が排出される位置制御が容易であるだけでなく、前記材料を排出した後に、前記容器１内に残存する材料の量を最小化することができる。
【００３３】
前記下部連結部２３５は、前記第２結合部２３０の下部と前記補助パッキン部２５５とを連結する。また、前記パッキン部２５０は、前記補助パッキン部２５５とともに前記容器１の吐出口５と結合され、前記容器１に収容された材料が外部に漏洩されることを防止する。より詳細には、本考案の実施例では、前記吐出口１は、断面上で上方にベンディングされた形状を持つことができ、前記補助パッキン部２５５は、前記パッキン部２５０と離隔して対向する。したがって、前記容器１の吐出部５は前記パッキン部２５０と前記補助パッキン部２５５との間に挿入され、前記下部キャップ２００は前記吐出口１と結合することができる。
【００３４】
図６は、本考案の他の実施例による容器キャップの下部キャップの斜視図である。一方、本考案の他の実施例による容器キャップは、前述の図１ないし図５を参照して説明した上部キャップ（図１、図２及び図３の１００）及び下部キャップ２０１を含む。したがって、図６を参照して本考案の他の実施例を説明するにあたって、前述の実施例で説明された上部キャップに対する重複説明は省略する。
【００３５】
図６を参照すると、前記下部キャップ２０１の構造及び前述の実施形態による下部キャップ（図４Ａ、図４Ｂ及び図５の２００）の構造を比較したとき、前記下部キャップ２０１が持つ補助パッキン部２５８には複数のホールが形成される。
【００３６】
図６に示される本考案の実施例では、前記補助パッキン部２５８には、第１および第２ホールＨ１、Ｈ２を含む、合計４つのホールが形成されることができ、この場合、前記第１ホールＨ１と向き合う位置に第３ホール（図示せず）が形成されることができ、前記第２ホールＨ２と向き合う位置に第４ホール（図示せず）が形成されることができる。
【００３７】
一方、側面上で前記下部キャップ２０１は、その構成要素らによって段差形状を持ち、前記下部キャップ２０１の最下段部分が前記開口部と通じる。これにより、容器（図１の１）をひっくり返して容器に収容された内容物を開口部（図４Ａの２４５）を介して外部に排出する際に、前記開口部を介して排出されていない前記内容物のうち一部は前記下部キャップ２０１の周辺で流動が鈍化しえる。しかしながら、本考案の実施例によれば、前記第１ないし第４ホールによって下部連結部２３５と前記補助パッキン部２５８との間、または前記補助パッキン部２５８及びパッキン部２５０との間で前記内容物の流動が円滑になる。
【００３８】
したがって、前記第１ないし第４ホールにより前記容器から前記内容物が排出されることが容易となり、これによって前記容器に収容された内容物全体を外部に排出させようとするとき、前記容器に残存する内容物の量を最小化する
ことができる。
【００３９】
一方、図６に示される本考案の実施例では、前記補助パッキン部２４８に合計４つのホールが形成されるが、前記下部キャップ２０１のサイズに応じてホールの数を増加させたり、ホールそれぞれのサイズを増加させることもできる。
【００４０】
以上、実施例を参照して説明したが、当該技術分野の当業者は、下記の実用新案登録請求の範囲の範囲に記載された本考案の思想および領域から逸脱しない範囲内で本考案を多様に修正および変更させることができる。
【符号の説明】
【００４１】
１  容器、
１０  カバー部、
２０  第１ハンドル部、
３０  第２ハンドル部、
４０  縁部、
４５  連結部、
１００  上部キャップ、
２００  下部キャップ、
２４５  開口部、
３００  容器キャップ
【図１】
0003188964.tif 000003
【図２】
0003188964.tif 000004
【図３】
0003188964.tif 000005
【図４（ａ）】
0003188964.tif 000006
【図４（ｂ）】
0003188964.tif 000007
【図５】
0003188964.tif 000008
【図６】
0003188964.tif 000009